(57)【要約】      （修正有）【課題】電気コードや電源を露出させずに陳列品の明るい連続照明が長時間可能なデザインの自由度が高いタワー型アイランドショーケースを提供する。【解決手段】基礎支持部１と、その上に形成されかつ内部の陳列品を全側方から見せるための陳列ケース部２とを少なくとも含むタワー型アイランドショーケースであって、陳列ケース部には、内部の陳列品を照明するためのＬＥＤ照明装置４、５が設けられていること、及び基礎支持部の内部には、ＬＥＤ照明装置に電力を供給するための充電可能なバッテリーが収納され、バッテリーの供給電圧が８〜３０ボルトであり、容量が５０〜２０００Ａｈである。【選択図】図１
0003209520.tif 000002
【実用新案登録請求の範囲】
【請求項１】
基礎支持部と、その上に形成されかつ内部の陳列品を全側方から見せるための陳列ケース部とを少なくとも含むタワー型アイランドショーケースであって、前記陳列ケース部には、内部の陳列品を照明するためのＬＥＤ照明装置が設けられていること、及び前記基礎支持部の内部には、前記ＬＥＤ照明装置に電力を供給するための充電可能なバッテリーが収納され、前記バッテリーの供給電圧が８〜３０ボルトであり、かつ前記バッテリーの容量が５０〜２０００Ａｈであることを特徴とするタワー型アイランドショーケース。
【請求項２】
前記バッテリーの供給電圧が９〜２５ボルトであり、かつ前記バッテリーの容量が１００〜１０００Ａｈであることを特徴とする請求項１に記載のタワー型アイランドショーケース。
【請求項３】
前記陳列ケース部の上に天井部が形成され、前記天井部には、その下方に向けて内部の陳列品を照明するためのＬＥＤ照明装置が設けられていること、及び前記天井部に設けられたＬＥＤ照明装置は、前記バッテリーによって電力を供給されていることを特徴とする請求項１又は２に記載のタワー型アイランドショーケース。
【請求項４】
前記陳列ケース部に設けられたＬＥＤ照明装置が、前記陳列ケース部の内周又は外周に鉛直方向に延びるように設けられていることを特徴とする請求項１〜３のいずれかに記載のタワー型アイランドショーケース。
【考案の詳細な説明】
【技術分野】
【０００１】
本考案は、百貨店などの店舗やショールームなどにおいて陳列、設置されるタワー型アイランドショーケースに関する。
【背景技術】
【０００２】
従来からタワー型アイランドショーケースは、その周囲を自由に往来できる場所に設置され、訪問者が全側方周囲からガラスなどの透明部材を介して内部の陳列品を歩いて見ることができるようになっている。また、タワー型アイランドショーケースは、内部の陳列品を魅力的に見せるために陳列品を十分な照度で照明するようになっている。
【０００３】
しかしながら、従来のタワー型アイランドショーケースは、内部の陳列品の照明のために一般に１００ボルトの電圧で駆動する照明装置を採用しているため、コンセントから電気コードで電源をとる必要があり、露出した電源コードは、見映えが悪く、しかも、陳列品を周囲から見る訪問者に対して足元にからまる危険があった。さらに、これらの照明装置は、１００ボルトのコンセントから電源をとっているため、展示場所で照明を維持したままケースを大きく移動させることが困難であった。
【０００４】
これに対して、丸形又は角型の乾電池を照明電源として使用したショーケースが提案されている。しかし、乾電池を多数直列又は並列させて使用した場合、容量不足のため、商業空間での展示に必要な照度で営業時間に対応した長時間にわたって連続照明することは困難であった。
【考案の概要】
【考案が解決しようとする課題】
【０００５】
本考案は、かかる従来技術の問題点を解消するためになされたものであり、その目的は、電気コードや電源を露出させずに陳列品の明るい連続照明が長時間可能なデザインの自由度が高いタワー型アイランドショーケースを提供することにある。
【課題を解決するための手段】
【０００６】
本考案者は、かかる目的を達成するために照明手段及びその電源供給方法について鋭意検討した結果、照明手段として、低い電力で駆動するデザインの自由度が高いＬＥＤ照明装置を採用したうえで、その電力として低電圧の容量が大きい繰り返し充電可能なバッテリーをケースの基礎支持部に収納することにより、電気コードや電源に起因する問題を解消し、かつ内部の陳列品を高い照度で長時間連続照明できるタワー型アイランドショーケースを提供できることを見出し、本考案の完成に至った。
【０００７】
即ち、本考案は、以下の（１）〜（４）の構成を有するものである。
（１）基礎支持部と、その上に形成されかつ内部の陳列品を全側方から見せるための陳列ケース部とを少なくとも含むタワー型アイランドショーケースであって、前記陳列ケース部には、内部の陳列品を照明するためのＬＥＤ照明装置が設けられていること、及び前記基礎支持部の内部には、前記ＬＥＤ照明装置に電力を供給するための充電可能なバッテリーが収納され、前記バッテリーの供給電圧が８〜３０ボルトであり、かつ前記バッテリーの容量が５０〜２０００Ａｈであることを特徴とするタワー型アイランドショーケース。
（２）前記バッテリーの供給電圧が９〜２５ボルトであり、かつ前記バッテリーの容量が１００〜１０００Ａｈであることを特徴とする（１）に記載のタワー型アイランドショーケース。
（３）前記陳列ケース部の上に天井部が形成され、前記天井部には、その下方に向けて内部の陳列品を照明するためのＬＥＤ照明装置が設けられていること、及び前記天井部に設けられたＬＥＤ照明装置は、前記バッテリーによって電力を供給されていることを特徴とする（１）又は（２）に記載のタワー型アイランドショーケース。
（４）前記陳列ケース部に設けられたＬＥＤ照明装置が、前記陳列ケース部の内周又は外周に鉛直方向に延びるように設けられていることを特徴とする（１）〜（３）のいずれかに記載のタワー型アイランドショーケース。
【考案の効果】
【０００８】
本考案のタワー型アイランドショーケースは、照明手段としてＬＥＤ照明装置を陳列ケース部、さらには必要により天井部に設置しているので、低電力量で内部の陳列品が極めて明るく照明することができ、ケース全体もデザイン性に優れたものとすることができる。また、ＬＥＤ照明装置の電力の供給手段として、充電可能なバッテリーを基礎支持部に収納するようにしたので、陳列品を見に来た訪問者が照明装置の電源や電気ケーブルを意識することがなく、安全に周囲を歩き廻ることができる。また、使用するバッテリーを低電圧の容量が大きいものにしたので、電源の取り扱いが安全であるとともに、商業空間での商品展示に十分な照度で営業時間に対応した長時間連続照明が可能である。
【図面の簡単な説明】
【０００９】
【図１】本考案のタワー型アイランドショーケースの一例を側方から撮影した写真である。
【図２】図１のタワー型アイランドショーケースの天井部のＬＥＤ照明装置を下から撮影した写真である。
【図３】図１のタワー型アイランドショーケースの基礎収納部のバッテリーを取り出した状態を撮影した写真である。
【図４】図１のタワー型アイランドショーケースの陳列ケース部の側方を扉状に開いた状態を撮影した写真である。
【符号の説明】
【００１０】
１  基礎支持部
２  陳列ケース部
３  天井部
４  ＬＥＤ照明装置
５  ＬＥＤ照明装置
６  透明な棚
７  バッテリー
【考案を実施するための形態】
【００１１】
本考案のタワー型アイランドショーケースの例を図面を参照して以下に示すが、本考案はこれらに限定されるものではない。
【００１２】
本考案のタワー型アイランドショーケースは、その周囲を訪問者が自由に往来して内部の陳列品を透明部材を介して見ることができるものであり、高さ方向に長手方向を持つタワー型の形状を持つものである。特に、本考案のタワー型アイランドショーケースは、基礎支持部と、その上に形成されかつ内部の陳列品を側方から見せるための陳列ケース部と、必要によりその上に形成された天井部とから基本的に構成されるものである。また、陳列ケース部の横断面形状は、陳列品の見やすさや照明装置の設置の容易さの点から、全高さにわたって略同一であり、かつ多角形（三角形、正方形、五角形など）又は円形又は楕円形又はそれらの混合形を有することが好ましい。
【００１３】
図１は、本考案のタワー型アイランドショーケースの一例を側方から撮影した写真である。図において、１は基礎支持部であり、タワー型アイランドショーケースを床に支持し安定させる部分である。必要により底部の四隅に車輪（図示せず）を設けてケースの移動を容易にすることができる。２は陳列ケース部であり、ガラスや樹脂板などの透明部材により外部から遮断された内部空間を作り、その内部に陳列品を展示するケースである。３は天井部であり、ケースの上方の剛性を確保するためのものである。４はＬＥＤ照明装置であり、陳列ケース部２の内部の陳列品を照明するために陳列ケース部２の内周又は外周に垂直方向に細く延びるように設置される。これにより視界をあまり妨げずに陳列品を側方から広範囲に明るく照明することができる。５はＬＥＤ照明装置であり、下方の陳列ケース部２の内部の陳列品を照明するために天井部３の略中央に設置される。これにより陳列品を側方からだけでなく、上方からも明るく照明することができる。６は透明な棚であり、ガラスや樹脂板などの透明部材から構成され、陳列ケース部２の内部を上下に区切って使用するために水平に設置される。
【００１４】
図２は、図１のタワー型アイランドショーケースの天井部３のＬＥＤ照明装置５を下から撮影した写真である。この写真では、ＬＥＤ照明装置５が薄く形成されているので、陳列品の上方からの照明を訪問者に意識させないものとなっている。
【００１５】
図３は、図１のタワー型アイランドショーケースの基礎支持部１に収納されるバッテリーを取り出した状態を撮影した写真である。図において、７はＬＥＤ照明装置４、ＬＥＤ照明装置５に電力を供給するためのバッテリーである。バッテリーは、繰り返し充電可能なタイプのものであり、取り扱いの安全のため、好ましくは８〜３０ボルト、より好ましくは９〜２５ボルトの低電圧を供給できるものを使用する。また、バッテリーの容量は、陳列ケース部２内の陳列品をＬＥＤ照明装置４、ＬＥＤ照明装置５で十分な照度で長時間連続照明するために、５０〜２０００Ａｈ、好ましくは１００〜１０００Ａｈである。丸形又は角型の乾電池を直列又は並列して使用したものは、過剰に多くの数を用意しない限り上記電圧と容量を達成することができないので好ましくない。
【００１６】
バッテリーは、１００ボルトコンセントから供給されたものを上記の低電圧に変換して充電できるものであることが好ましく、現場で充電したり又は別の場所で予め充電したものを交換して使用することが好ましい。バッテリーは、従来公知の繰り返し充電可能なタイプのものを採用することができ、例えばニッケル水素電池、リチウムイオン電池、ニッケルカドミウム電池が好ましい。
【００１７】
図４は、図１のタワー型アイランドショーケースの陳列ケース部２の側方の透明ガラスを扉状に開いた状態を撮影した写真である。このように陳列ケース部２が側方から扉状に開放できることによって内部の陳列品へのアクセスが良好となる。
【００１８】
本考案のタワー型アイランドショーケースは、以上のように構成されているので、店舗やショールームで島状に陳列、設置された場合に、訪問者が照明手段の電源や電気コードを意識することなく、高級感のあるケース内で明るい照明を受けた陳列品を認識することができ、結果として訪問者の陳列品への興味や関心を高めることができる。また、使用するバッテリーが十分な電気容量を確保しているので、展示に必要な照度で営業時間に対応した連続点灯が可能であり、ケースの設置、管理、運営が極めて容易である。
【産業上の利用可能性】
【００１９】
本考案のタワー型アイランドショーケースは、設置や管理の容易性、訪問者への陳列品のアピールや安全性、デザイン性などに優れているので、当業界における寄与は極めて大である。
【図１】
0003209520.tif 000003
【図２】
0003209520.tif 000004
【図３】
0003209520.tif 000005
【図４】
0003209520.tif 000006